(57)【特許請求の範囲】
【請求項１】
多数の電子部品が収容された電子部品収容部から前記電子部品をフィーダ本体の供給位置まで１つずつ供給するフィーダにおいて、
前記フィーダ本体の上面に帯状部材からなる持ち手を取り付け、
前記フィーダ本体は、その上面に前後方向の高さが異なる段差部分を備えたものであり、前記持ち手は、その帯状部材の前端部と後端部が前記段差部分を跨いで取り付けられたものであることを特徴とするフィーダ。
【請求項２】
前記持ち手は、前記フィーダ本体の重心位置の上部に取り付けられたものであることを特徴とする請求項１に記載のフィーダ。
【請求項３】
前記持ち手は、前記フィーダ本体の段差部分が前方に傾斜した前傾部分を有し、前記前傾部分を跨いで取り付けられた前記帯状部材が、その段差部分に対して形状を合わせて接する格納状態になるものであることを特徴とする請求項１又は請求項２に記載のフィーダ。
【発明の詳細な説明】
【技術分野】
【０００１】
本発明は、不定形な持ち手を備えたフィーダに関する。
【背景技術】
【０００２】
回路基板に電子部品を装着する電子部品装着機は、電子部品を供給するための電子部品供給装置が設けられている。その電子部品供給装置には、例えば電子部品を収容した部品供給テープをテープリールから巻き出して供給するテープフィーダが使用される。テープフィーダは、フィーダ本体部に部品供給テープを送り出すためのテープ送り機構が組み込まれ、その後方側には電子部品収容部となるリールホルダが構成されている。テープフィーダが取り扱う部品供給テープは、一定の間隔で複数の電子部品が収容されたものであり、テープリールに巻回されている。そして、そのテープリールがリールホルダに回転自在に取り付けられる。【０００３】
テープフィーダの後方側上部には持ち手と操作パネルが構成されている。操作パネルには、各種スイッチやＬＥＤ等が設けられており、それらがフィーダ本体部内の制御基板に接続されている。一方、持ち手は、下記特許文献１に開示されているものの場合、操作パネルの前部に位置し、フィーダ本体を構成するプレートに前後方向の長孔が形成され、その長孔の周りを囲むように枠部材がプレートに固定されている。また、下記特許文献２に開示された持ち手は、フィーダ本体の横幅寸法に合わせた横棒が操作パネルの後部から後方側に突き出して設けられている。
【先行技術文献】
【特許文献】
【０００４】
【特許文献１】特開２０１５―１０９３５２号公報
【特許文献２】特開２０１３−０９８３７５号公報
【発明の概要】
【発明が解決しようとする課題】
【０００５】
従来のフィーダは、前述したテープフィーダのように、持ち手がフィーダ本体の後部に形成されている。しかし、持ち手が後方側に形成されていると、持ち運びの際にフィーダが前傾した姿勢になり、電子部品装着機に対する着脱時の姿勢と大きく異なってしまう。そのため、作業者は、着脱時にフィーダの姿勢を整えてから挿入などの動作に移ることになるため、取り扱い動作にロスが生じてしまう。特に、前記特許文献２のテープフィーダのように、比較的大型のフィーダは重量も重いため、作業者が持っているときのフィーダの姿勢が着脱作業などの取り扱い易さを左右することになる。一方、フィーダを搭載する電子部品装着機などには極めて狭い搭載スペースしかなく、フィーダにおける持ち手の位置を自由に変えることが困難である。【０００６】
そこで、本発明は、かかる課題を解決すべく、不定形な持ち手を備えたフィーダを提供することを目的とする。
【課題を解決するための手段】
【０００７】
本発明の一態様におけるフィーダは、多数の電子部品が収容された電子部品収容部から前記電子部品をフィーダ本体の供給位置まで１つずつ供給するものであって、前記フィーダ本体の上面に帯状部材からなる持ち手を取り付け、前記フィーダ本体は、その上面に前後方向の高さが異なる段差部分を備えたものであり、前記持ち手は、その帯状部材の前端部と後端部が前記段差部分を跨いで取り付けられたものである。
【発明の効果】
【０００８】
本発明によれば、持ち手を帯状部材によって形成したことにより、従来は定形だったものが形状を変化させる不定形になり、フィーダ本体の形状をほぼ変更することなく持ち手の位置を自由に設定することができる。
【図面の簡単な説明】
【０００９】
【図１】電子部品装着機の一部を簡易的に示した側面図である。
【図２】フィーダの一実施形態を示した斜視図である
【図３】フィーダの一部を構成するフィーダ本体を示した斜視図である。
【図４】電子部品装着機の一部を簡易的に示した側面図であり、特にテープフィーダを着脱する状態を示した図である。
【図５】持ち手構造の変形例を示した斜視図である。
【図６】フィーダ本体の平らな上面部分に持ち手を形成した持ち手構造を簡易的に示した図である。
【発明を実施するための形態】
【００１０】
次に、本発明に係るフィーダの一実施形態について、図面を参照しながら以下に説明する。本実施形態では、回路基板に電子部品を装着する電子部品装着機に使用するテープフィーダを例に挙げて説明する。図１は、本実施形態のテープフィーダを取り付けた電子部品装着機の一部を簡易的に示した側面図である。その電子部品装着機１は、他の作業機とともに幅方向に並べられ、所定の電子部品を回路基板に装着する部品装着ラインを構成するものである。すなわち、部品装着ラインでは、各作業機の内部に回路基板が順番に搬送され、各々の作業機において電子部品の装着作業などが行われる。
【００１１】
図示する電子部品装着機１は、機体カバー２によって全体が覆われ、幅方向（図面を貫く方向）のカバー側面に基板開口部が形成され、その基板開口部を通して隣り合う作業機との間で回路基板の受け渡しが行われるようになっている。そして、電子部品装着機１には、機体カバー２の前部に形成された部品開口部３においてテープフィーダ１０などのデバイスが搭載され、回路基板へ装着する部品の供給が行われるようになっている。
【００１２】
電子部品装着機１は、機体を前後方向（図面左右方向）に見た場合、前述したように、前方部分の部品開口部３にテープフィーダ１０が搭載された部品供給部があり、中央部分には基板開口部を通して回路基板を搬送するための基板搬送部が構成されている。更に、機体後方部分には電子部品の装着を実行するための装着ヘッド５が配置されており、その装着ヘッド５は、前方部分に配置されたテープフィーダ１０から吸着ノズルによって電子部品を取り出し、搬送されてきた回路基板に対してその電子部品を装着するものである。従って、装着ヘッド５は、矢印で示すように機体前後方向に移動可能な構成となっている。なお、図面上の装着ヘッド５は、その存在を示すだけの表現になっている。
【００１３】
次に、図２は、テープフィーダ１０を示した斜視図であり、図３は、テープフィーダ１０の一部を構成するフィーダ本体を示した斜視図である。テープフィーダ１０は、部品供給テープが巻かれたテープリール２１を複数保持するリールホルダ１１と、そのリールホルダ１１のテープリール２１から引き出した部品供給テープを部品供給位置１５へと送るためのテープ送り出し機構を備えたフィーダ本体１２とから構成されている。なお、テープリール２１に巻かれた部品供給テープは、複数の電子部品が長手方向に沿って所定のピッチ間隔で保持されている。そして、上下２枚のテープ部材がフィーダ本体１２の部品供給位置１５において剥離することで、電子部品が吸着ノズルによって取り出せるようになっている。
【００１４】
リールホルダ１１は、合計６個のテープリール２１が３個ずつ前後に分けて取り付けられるように構成されている。一方、フィーダ本体１２は、６個のテープリール２１から送り出された６本の部品供給テープを、テープ毎に設けられた部品供給位置１５まで導くためのテープ経路が形成されている。更に、そのフィーダ本体１２には、箱型の本体カバー２２の内部にテープ経路のほか、そのテープ経路に沿って部品供給テープを送るためのテープ送り出し機構が構成されている。
【００１５】
テープ送り出し機構は、６本の部品供給テープに対応して構成され、本体カバー２２の内部において幅方向に並べるようにして組み込まれている。各テープ送り出し機構は、揺動ブラケットに対してスプロケットや、そのスプロケットに回転を伝達する平歯車列、さらにその平歯車に回転を与えるモータ等が組み付けられている。そして、揺動ブラケットが揺動することにより、テープ送り出し機構が一体的に上下動するように構成されている。すなわち、このテープ送り出し機構が上下することにより、スプロケットの歯が部品供給テープの長手方向に連続して形成された送り孔に入る引掛け状態と、送り孔から外れる解除状態とが切り換えられるようになっている。
【００１６】
ところで、電子部品装着機１の部品開口部３には、図１に示すように、デバイスの着脱可能な支持台としてデバイステーブル６が設置されている。従って、テープフィーダ１０もそのデバイステーブル６に対して取り付けられる。デバイステーブル６は、機体前後方向のガイド溝が幅方向に複数形成され、テープフィーダ１０は、フィーダ本体１２の底面に形成された凸部がガイド溝に嵌り込むようにして挿入可能になっている。そのため、電子部品装着機１におけるテープフィーダ１０の交換作業などでは、作業者がフィーダ本体１２をほぼ水平な横向き姿勢にしてガイド溝に沿って前後に出し入れすることにより、そのテープフィーダ１０の着脱が行われる。
【００１７】
電子部品装着機１は、部品開口部３にテープフィーダ１０の上方を覆うように内部カバー７が設けられている。そして、その内部カバー７は、テープフィーダ１０のフィーダ本体１２との間に数ミリの隙間しかない。これはテープフィーダ１０の近くを移動する装着ヘッド５の移動スペースを確保する必要があるためである。従って、従来例で挙げたテープフィーダの持ち手は、電子部品装着機１の部品開口部３から外に出たフィーダ本体１２の後部側（リールホルダ１１側）に形成されていた。仮に、従来構造の持ち手を機内に入り込んだ位置に形成したとすると、内部カバー７を上方の膨らませた形状に変更する必要が生じ、装着ヘッド５の移動範囲を制限することになってしまう。
【００１８】
そこで、本実施形態では、フィーダ本体１２に対して機内に入り込んだ位置に持ち手２５を形成しつつ、それでも電子部品装着機１に従来から設けられている内部カバー７の変更を不要とした持ち手構造を提案する。すなわち、本実施形態の持ち手２５は、作業者がテープフィーダ１０を持った時の形状と、テープフィーダ１０が部品開口部３に取り付けられた時の形状とが変化する不定形なものとした。具体的に、持ち手２５は、例えば強度の高いポリエステル製の帯状部材であり、図２及び図３に示すように、その両端部がフィーダ本体１２の上面に取り付けられている。
【００１９】
フィーダ本体１２の上面には傾斜面からなる段差部分２３が形成されているが、持ち手２５は、その段差部分２３を前後方向に跨ぐようにして取り付けられている。すなわち、持ち手２５は、その帯状部材の一端部が上段側に固定され、帯状部材の他端部が下段側に固定されている。フィーダ本体１２は、前述したように、６本の部品供給テープに対応したテープ送り機構が構成されているため、幅が広く前方側に重量が偏っている。そのため、フィーダ本体１２の段差部分２３付近がテープフィーダ１０の重心位置になる。よって、段差部分２３を前後方向に跨いだ持ち手２５は、テープフィーダ１０の重心位置の上部に取り付けられている。
【００２０】
帯状部材の持ち手２５は、図２に示す格納状態では、傾斜した段差部分２３を含むフィーダ本体１２の上面に合わせて全体が接するように変形して重ねられる。従って、持ち手２５が格納状態の場合には、フィーダ本体１２の上面に持ち手２５の厚さ寸法分の凸部が生じるが、帯状部材の厚さは、図１に示すように、内部カバー７とフィーダ本体１２との隙間以下である。そして、使用状態での持ち手２５は、図３に示すようにフィーダ本体１２の上面から離れて変形し、作業者の手や指を入れることができるスペースが形成される。
【００２１】
ここで、図４は、図１と同じく電子部品装着機の一部を簡易的に示した側面図であり、特にテープフィーダ１０を着脱する時の状態を示している。テープフィーダ１０は、図示するようにフィーダ本体１２を横向きの姿勢にして、矢印で示すように前後方向に移動させることにより部品開口部３に対して出し入れが行われる。例えば、図面右側に移動させる搭載時には、作業者は、持ち手２５を持ってテープフィーダ１０を支え、フィーダ本体１２の先端分をデバイステーブル１６のガイド溝に挿入させる。ガイド溝への挿入後は、作業者は持ち手２５から手を離し、フィーダ本体１２の後方部分を下から支えるなど持ち方を変えて、テープフィーダ１０をデバイステーブル１６のガイド溝に沿って機内へと押し込む。
【００２２】
そして、図１に示すように、テープフィーダ１０が完全に挿入されて取り付けられるまでの間、破線で示すように上方に膨らむような形状であった持ち手２５は、内部カバー７に抑え込まれるようにして図２に示す格納状態へと変形することになる。逆に、テープフィーダ１０を取り出す場合には、図１の状態から図４に示す状態へと、持ち手２５が外に現れる位置までテープフィーダ１０が引き出される。そこで、作業者は、持ち手２５を変形させて手を入れ、吊下げるようにテープフィーダ１０を支えながら更に引き出して、電子部品装着機１から完全に取り出す。
【００２３】
よって、本実施形態によれば、持ち手２５を帯状部材によって形成し、従来は定形だったものを形状が変わる不定形構造にしたので、電子部品装着機１のようにテープフィーダ１０との隙間が狭い内部カバー７が存在しているような場合でも、持ち手２５の位置を自由に変更することができるようになった。そのため、テープフィーダ１０の重心に合わせて持ち手２５を配置することにより、作業者は前後のバランスを保って持つことができ、持ち運びがし易くなる。
【００２４】
また、作業者は、フィーダ本体１２をほぼ水平な姿勢にしてテープフィーダ１０持つことができるため、デバイステーブル６のガイド溝に沿ったテープフィーダ１０の出し入れが非常にやり易くなる。例えば、取り出しの場合にはデバイステーブル６の支えが無くなる瞬間があるが、作業者が持ち手２５によって片手で持っていたとしても、テープフィーダ１０のバランスが良いため、従来のように取り外した瞬間にバランスを崩して慌てるようなことはない。
【００２５】
持ち手２５は、シートベルトに使用されるようなポリエステル製の安価な帯状部材によって構成され、その取り付けも端部を固定する簡単な構造であるため、従来のフィーダ本体から大幅な設計変更を必要とせず、コストをかけずに上記効果を達成することができる。また、持ち手２５は、フィーダ本体１２上面の段差部分２３に形成されているため、図３に示す使用状態ではフィーダ本体１２上面との間に十分なスペースがあり、作業者にとって持ち易くなっている。
【００２６】
次に、図５は、持ち手構造の変形例を示した斜視図である。この持ち手構造は、持ち手２５は同じくポリエステル製の帯状部材が使用されている。その一方で、フィーダ本体１２側には格納溝２７が形成されている。すなわち、持ち手２５は、フィーダ本体１２の上面形状に従って変形することでその効果を発揮しているが、更に格納溝２７内に持ち手２５の帯状部材が入り込む。これによって、持ち手２５によるフィーダ本体１２の外形形状の変化を更に抑えることができる。
【００２７】
続いて、図６は、フィーダ本体の平らな上面部分に持ち手を形成した持ち手構造を簡易的に示した図である。この持ち手３０は、ポリエステル製の帯状部材によって形成され、両端部に形成された筒形状の取付部３０１，３０２に、距離をおいてフィーダ本体１２に固定された取付バー３１，３２が通されている。取付部３０１は、フィーダ前方側の取付バー３１とほぼ同じ径の筒形状であり、取付部３０２は、フィーダ後方側の取付バー３２に比べて大きな筒形状になっている。
【００２８】
よって、図６（Ａ）に示す使用状態の場合には、持ち手３０は上方に湾曲するように変形し、フィーダ本体１２上面との間に作業者が手や指を入れることができるスペースが形成される。一方、図６（Ｂ）に示す格納状態の場合には、大きく形成された取付部３０２内を取付バー３２が相対的に移動して持ち手３０がフィーダ本体１２の上面に沿って平らな形状に変形する。つまり、持ち手３０の長さが取付バー３１，３２の間隔より大きくても平らな状態にすることができるようになっている。
【００２９】
従って、図１に示すようにテープフィーダ１０を部品開口部３に取り付けるような場合、持ち手３０は、図６（Ａ）に示す上方に湾曲した使用状態であても、矢印で示す方向に相対的に移動する内部カバー７によって抑え込まれ、図６（Ｂ）に示す格納状態へと変形することになる。更に、フィーダ本体１２の上面には格納溝２８が形成され、その中に取付バー３１，３２が固定されているため、平らに変形した持ち手３０は、格納溝２８内に収められる。
【００３０】
以上、本発明の一実施形態について説明したが、本発明はこれらに限定されるものではなく、その趣旨を逸脱しない範囲で様々な変更が可能である。
例えば、前記実施形態ではフィーダの一例としてテープフィーダを説明したが、バルクフィーダやスティックフィーダなどの持ち手であってもよい。
また、前記実施形態では、持ち手２５をテープフィーダ１０の重心位置の上部に配置させた場合を説明したが、必ずしも重心位置の上部に無い場合を排除するわけではない。重心位置に近ければフィーダが大きく傾くこともないため、従来に比べて扱い易さは向上するからである。
【符号の説明】
【００３１】
１…電子部品装着機  ３…部品開口部  ５…装着ヘッド  ６…デバイステーブル  ７…内部カバー  １０…テープフィーダ  １１…リールホルダ  １２…フィーダ本体  １５…部品供給位置  ２１…テープリール  ２２…本体カバー  ２３…段差部分  ２５…持ち手
【図１】
0006748717.tif 000002
【図２】
0006748717.tif 000003
【図３】
0006748717.tif 000004
【図４】
0006748717.tif 000005
【図５】
0006748717.tif 000006
【図６】
0006748717.tif 000007